(57)【特許請求の範囲】
【請求項１】
複数の解像度に対応した通信チャネルを持ち第１の圧縮率により符号化されたデジタル放送波を受信して伝送ストリームに変換する受信機と、
前記伝送ストリームにおける各通信チャネルの映像信号を復号してベースバンド映像を生成するデコーダと、
前記各通信チャネルのベースバンド映像を前記第１の圧縮率と異なる第２の圧縮率により符号化して符号化映像をバッファリングするエンコーダと、
前記各通信チャネルの符号化映像を多重化して伝送ストリームを形成するマルチプレクサとを備え、
前記デコーダは、ベースバンド映像が有効か否かを通信チャネルごとに判別し、判別結果を表すデコード情報を対応するベースバンド映像に重畳し、
前記エンコーダは、前記各通信チャネルのベースバンド映像からデコード情報を抽出し、ベースバンド映像が有効から無効へ切り替わることを検知したとき、符号化映像を格納するバッファにバッファリングされている有効な符号化映像を、次に無効な符号化映像が前記バッファにバッファリングされる前にベースバンド処理される期間を利用して、前記ベースバンド映像が前記無効から有効に切り替わる前に出し切るように制御することを特徴とする再圧縮システム。
【請求項２】
前記エンコーダは、ベースバンド映像が無効から有効へ切り替わることを検知したとき、前記制御をやめて通常のバッファ制御に戻すことを特徴とする請求項１記載の再圧縮システム。
【請求項３】
前記エンコーダは、前記各通信チャネルのベースバンド映像の符号化において、対応する通信チャネルおよびデコード情報を表すＩＤ情報を符号化映像に設定し、前記マルチプレクサは、前記各通信チャネルの符号化映像のうちデコード情報が無効を示す符号化映像を廃棄することを特徴とする請求項１又は２記載の再圧縮システム。
【請求項４】
前記デコーダは、前記デコード情報を当該ベースバンド映像のアンシラリ領域に重畳することを特徴とする請求項１乃至３のいずれか１項に記載の再圧縮システム。
【請求項５】
前記第２の圧縮率が前記第１の圧縮率より高いことを特徴とする請求項１乃至４のいずれか１項に記載の再圧縮システム。
【請求項６】
前記第２の圧縮率が前記第１の圧縮率より低いことを特徴とする請求項１乃至４のいずれか１項に記載の再圧縮システム。
【請求項７】
複数の解像度に対応した通信チャネルを持ち第１の圧縮率により符号化されたデジタル放送波を受信して伝送ストリームに変換し、
前記伝送ストリームにおける各通信チャネルの映像信号を復号してベースバンド映像を生成し、
前記各通信チャネルのベースバンド映像を前記第１の圧縮率と異なる第２の圧縮率により符号化して符号化映像をバッファリングし、
前記各通信チャネルの符号化映像を多重化して伝送ストリームを形成し、
前記復号において、ベースバンド映像が有効か否かを通信チャネルごとに判別し、判別結果を表すデコード情報を対応するベースバンド映像に重畳し、
前記第２の圧縮率による符号化において、前記各通信チャネルのベースバンド映像からデコード情報を抽出し、ベースバンド映像が有効から無効へ切り替わることを検知したとき、符号化映像を格納するバッファにバッファリングされている有効な符号化映像を、次に無効な符号化映像が前記バッファにバッファリングされる前にベースバンド処理される期間を利用して、前記ベースバンド映像が前記無効から有効に切り替わる前に出し切るように制御することを特徴とする再圧縮方法。
【請求項８】
前記各通信チャネルのベースバンド映像の符号化において、ベースバンド映像が無効から有効へ切り替わることを検知したとき、前記制御をやめて通常のバッファ制御に戻すことを特徴とする請求項７記載の再圧縮方法。
【請求項９】
前記各通信チャネルのベースバンド映像の符号化において、対応する通信チャネルおよびデコード情報を表すＩＤ情報を符号化映像に設定し、前記各通信チャネルの符号化映像の多重化において、デコード情報が無効を示す符号化映像を廃棄することを特徴とする請求項７又は８記載の再圧縮方法。
【請求項１０】
前記デコード情報を当該ベースバンド映像のアンシラリ領域に重畳することを特徴とする請求項７乃至９のいずれか１項に記載の再圧縮方法。
【請求項１１】
前記第２の圧縮率が前記第１の圧縮率より高いことを特徴とする請求項７乃至１０のいずれか１項に記載の再圧縮方法。
【請求項１２】
前記第２の圧縮率が前記第１の圧縮率より低いことを特徴とする請求項７乃至１０のいずれか１項に記載の再圧縮方法。
【発明の詳細な説明】
【技術分野】
【０００１】
本発明は、デジタル放送の受信波を再圧縮する技術に関し、特に、まだら編成が生じる受信波の再圧縮に関する。
【背景技術】
【０００２】
圧縮処理されたデジタル放送の受信波を他の比率により圧縮し直して出力する、いわゆるトランスコーダと称されるシステムがある。このシステムは、例えば、デジタル放送の録画に利用される。この場合、録画処理に先立ち、受信波をより高い圧縮率にて再圧縮することで、録画のメモリ消費が抑えられる。
【０００３】
上記のように圧縮率を上昇させる変換としては、例えば、ＭＰＥＧ２（Motion Picture Expert Group 2）からＨ.２６４（ITU-T Rec. H.264｜ISO/IEC14496-10:2003）への変換がある。ＭＰＥＧ２形式で符号化された映像が受信されると、トランスコーダは、それを一旦デコードしてベースバンド映像に変換し、Ｈ.２６４形式により符号化する。これにより、受信したＭＰＥＧ２のデジタル映像がＨ.２６４形式で再圧縮される。そして、再圧縮した映像を、映像以外の音声・データ放送などの要素と同期させ、それらをマルチプレクサ（TS-MUX：Transport Stream Multiplexer）で多重化して１つの伝送ストリーム（TS）として出力する。
【０００４】
ところで、デジタル放送システムでは、映像や音声が圧縮して伝送されることから、高画質のＨＤ（High Definition Television）を１チャネル、もしくは標準画質のＳＤ（Standard Definition Television）複数チャネルを１つのサービス内で提供することができる。また、それらＨＤ及びＳＤを放送内容に応じて任意に切り替えて放送する、いわゆる「まだら編成」（又は「まだら切り替え」）が行われる。
【０００５】
まだら編成がある場合、画質の切り替わり時に、受信側の映像が一時的に乱れる可能性がある。この映像の乱れを防ぐための方法が、例えば、後述の特許文献１に記載されている。同文献に記載の方法は、受信側で映像信号の解像度を検知し、解像度が切り替わる場合は映像のミュート処理を行うというものである。これにより、受信波にまだら編成が生じても、解像度の切り替わり時に乱れた映像が出力されないよう制御する。
【０００６】
一方、前述のトランスコーダの場合、ＨＤ／ＳＤの再圧縮映像を重複させることなく出力するよう制御することで、出力映像の乱れを防止することができる。そのために、トランスコーダでは、エンコーダにて再圧縮した信号を一旦バッファリングし、バッファリング映像の出力タイミングをＨＤ／ＳＤ間で調整する。例えば、ＨＤからＳＤへの切り替えの場合、ＨＤ側のバッファリング映像を出力し終えてから、ＳＤ側のバッファリング映像の出力を開始する。トランスコーダは、まだら編成の切り替えが発生したとき、その切り替えの検出や、上記のようなバッファリング映像の出力を、数秒程度の時間をかけて制御する。
【特許文献１】特開２００７−２６７４２０号公報
【発明の開示】
【発明が解決しようとする課題】
【０００７】
デジタル放送の受信波を再圧縮するトランスコーダは、前述のような制御により、まだら編成に起因する映像の乱れを防止する。しかしながら、トランスコーダは、デジタル放送の受信から表示あるいは録画までの間に介在するものであるから、それに伴う遅延時間、すなわち受信波を再圧縮して出力するのに要する時間を極力短くすることが求められる。
【０００８】
本発明は、上記課題に鑑みてなされたものであり、その目的は、デジタル放送波のまだら編成に起因する映像の乱れを防止しつつ、再圧縮の遅延時間を抑える技術を提供することにある。
【課題を解決するための手段】
【０００９】
本発明に係る再圧縮システムは、複数の解像度に対応した通信チャネルを持ち第１の圧縮率により符号化されたデジタル放送波を受信して伝送ストリームに変換する受信機と、前記伝送ストリームにおける各通信チャネルの映像信号を復号してベースバンド映像を生成するデコーダと、前記各通信チャネルのベースバンド映像を前記第１の圧縮率と異なる第２の圧縮率により符号化して符号化映像をバッファリングするエンコーダと、前記各通信チャネルの符号化映像を多重化して伝送ストリームを形成するマルチプレクサとを備え、前記デコーダは、ベースバンド映像が有効か否かを通信チャネルごとに判別し、判別結果を表すデコード情報を対応するベースバンド映像に重畳し、前記エンコーダは、前記各通信チャネルのベースバンド映像からデコード情報を抽出し、ベースバンド映像が有効から無効へ切り替わることを検知したとき、符号化映像を格納するバッファにバッファリングされている有効な符号化映像を、次に無効な符号化映像が前記バッファにバッファリングされる前にベースバンド処理される期間を利用して、前記ベースバンド映像が前記無効から有効に切り替わる前に出し切るように制御することを特徴とする。
【００１０】
本発明に係る再圧縮方法は、複数の解像度に対応した通信チャネルを持ち第１の圧縮率により符号化されたデジタル放送波を受信して伝送ストリームに変換し、前記伝送ストリームにおける各通信チャネルの映像信号を復号してベースバンド映像を生成し、前記各通信チャネルのベースバンド映像を前記第１の圧縮率と異なる第２の圧縮率により符号化して符号化映像をバッファリングし、前記各通信チャネルの符号化映像を多重化して伝送ストリームを形成し、前記復号において、ベースバンド映像が有効か否かを通信チャネルごとに判別し、判別結果を表すデコード情報を対応するベースバンド映像に重畳し、前記第２の圧縮率による符号化において、前記各通信チャネルのベースバンド映像からデコード情報を抽出し、ベースバンド映像が有効から無効へ切り替わることを検知したとき、符号化映像を格納するバッファにバッファリングされている有効な符号化映像を、次に無効な符号化映像が前記バッファにバッファリングされる前にベースバンド処理される期間を利用して、前記ベースバンド映像が前記無効から有効に切り替わる前に出し切るように制御することを特徴とする。
【発明の効果】
【００１１】
本発明によれば、映像の解像度が切り替わるとき、切り替え前の有効なバッファリング映像を速やかに出力し終えることができる。これにより、切り替え前後の映像の出力期間が重なることが回避されるので、まだら編成の映像が乱れることを防止できる。
【発明を実施するための最良の形態】
【００１２】
図１に、本発明の実施形態のシステム構成を示す。本実施形態のシステム100は、まだら編成により１チャネルのＨＤ映像（高画質）と２チャネルのＳＤ映像（標準画質）とが任意に切り替わるデジタル放送波を想定した再圧縮システムである。
【００１３】
システム100は、図１に示すように、デジタル放送受信機102、ＭＰＥＧ２デコーダ111、Ｈ.２６４エンコーダ131、及び、ＴＳ-ＭＵＸ（マルチプレクサ）151を備える。ＭＰＥＧ２デコーダ111には、上記の３チャネルに対応するＨＤデコーダ112、ＳＤ第１デコーダ113およびＳＤ第２デコーダ114が設けられている。同様に、Ｈ.２６４エンコーダ131には、上記３チャネルに対応するＨＤエンコーダ132、ＳＤ第１エンコーダ133およびＳＤ第２エンコーダ134が設けられている。
【００１４】
デジタル放送受信機102は、デジタル放送波101を受信し、それをＭＰＥＧ２形式の放送ＴＳ（伝送ストリーム）103に変換する。ＭＰＥＧ２デコーダ111の各デコーダ（112,113,114）は、それぞれに規定された画質で、放送ＴＳ103の映像をベースバンド映像（122,123,124）に復号する。このとき、自チャネルのベースバンド映像が有効なものか否かを表すデコード情報を、そのベースバンド映像のアンシラリ領域に重畳する。
【００１５】
Ｈ.２６４エンコーダ131の各エンコーダ（131,133,134）は、それぞれに規定された画質で、ベースバンド映像（122,123,124）にＨ.２６４準拠の符号化を行うことにより、映像を再圧縮する。再圧縮された符号化映像（142,143,144）は、チャネルごとにバッファリングされ、順次ＴＳ-ＭＵＸ151へ供給される。ＴＳ-ＭＵＸ151は、Ｈ.２６４エンコーダ131から供給される各チャネルの符号化映像（142,143,144）と、同期のための遅延処理161を経た音声データ等とを多重化処理し、それを再圧縮ＴＳ152として出力する。
【００１６】
図２に、Ｈ.２６４エンコーダ131における各エンコーダ（131,133,134）の機能的な構成を示す。デコード情報抽出部201は、ベースバンド映像のアンシラリ領域から前述のデコード情報201Aを抽出し、それを後段の符号化部203へ供給する。このとき、符号化部203が、符号化した映像を格納するバッファ204の使用量を、デコード情報に基づき後述の要領で調整する。デコード情報が抽出されたベースバンド映像は、ベースバンド処理部202にて所定の信号処理を施された後、符号化部203にてＨ.２６４形式により再圧縮される。再圧縮された符号化映像は、バッファ204に格納された後、順次ＴＳ-ＭＵＸ151へ供給される。
【００１７】
このように、本実施形態において、符号化部203は、映像信号がベースバンド処理（202）を経て入力される前に、その映像が有効か否かをデコード情報201Aにより認識する。そして、その映像がベースバンド処理（202）される時間を、現時点のバッファ量を調整する時間に充てる。
【００１８】
なお、Ｈ.２６４エンコーダ131からの符号化映像の出力継続時間は、バッファ204の使用量と出力ビットレートによって決まり、バッファ使用量が少ないほど出力継続時間は短くなる。また、一連の映像フレームの出力動作は、バッファに蓄積されたフレームデータを出し切るまで続けられる。Ｈ.２６４エンコーダ131は、この作用を利用して、バッファ204の使用量を制御する。
【００１９】
バッファ204の制御とは、具体的には、デコード情報によりベースバンド映像が有効から無効に切り替わることを検知したときにバッファ204を縮小し、これにより、有効な符号化映像をバッファ204から出し切るよう制御する。このとき、次にバッファリングする無効な映像がバッファリング前にベースバンド処理される期間を利用して、バッファ204を縮小させる。その後、無効から有効への切り替わりを検知した時点でバッファ204を増加させ、通常の量に戻す。
【００２０】
上記のバッファ制御について、より具体的に説明する。デコード情報抽出部201が有効から無効への切り替わり検知した時点では、後段の符号化部203のバッファ204には、まだ有効な符号化映像がバッファリングされている。この状態が、例えばＨＤチャネル（図１：132）であると仮定する。このとき、他方のＳＤチャネル側（133,134）では、ＨＤ側とは逆に、無効から有効への切り替わりが検知され、有効な符号化映像が生成されようとしている。
【００２１】
そこで、ＨＤ側にてバッファ204を縮小する、すなわち有効なＨＤのバッファリング映像をバッファ204から早急に出し終えるよう制御して、ＨＤ映像の出力期間とＳＤ映像の出力期間とが重なることを回避させる。ＨＤ／ＳＤの有効な映像がＴＳ-ＭＵＸ151へ同時的に入力されることでＴＳ-ＭＵＸ151の出力帯域が規定量を超えることを防ぐことができる。
【００２２】
図３に示すフローチャートを参照して、システム100の動作を説明する。デジタル放送受信機102が、受信したデジタル放送波101を放送ＴＳ103に変換すると（ステップS1）、そのうちの映像信号がＭＰＥＧ２デコーダ111の各デコーダ（112,113,114）へ入力される。また、放送ＴＳ103のうち、音声のような映像以外のデータは、後段のＴＳ-ＭＵＸ151での同期をとるために遅延処理（図１：161）される。
【００２３】
ＭＰＥＧ２デコーダ111の各デコーダ（112,113,114）は、入力された映像信号を各自の解像度に合せてＭＰＥＧ２形式で復号することで、ベースバンド映像（122,123,124）を生成する（ステップS2）。このとき、各デコーダ（112,113,114）は、各自に設定されているＰＩＤ（Program ID）と同じものを持つ映像が入力映像に含まれているか否かを判別する。そして、判別の結果をデコード情報としてベースバンド映像のアンシラリ領域（補助領域）に重畳する（ステップS3）。
【００２４】
ここで、ＰＩＤとは、各チャネルに割り当てられているＩＤ情報である。取り扱うデータのＰＩＤを参照することにより、そのデータが何れのチャネルのものかを識別することができる。ＨＤデコーダ112、ＳＤ第１デコーダ113、及び、ＳＤ第２デコーダ114には、それぞれ異なる値のＰＩＤが設定されている。
【００２５】
また、入力映像に自チャネルのＰＩＤが含まれていることは、現時点で自チャネルの映像が放送されている、すなわち、自チャネルのベースバンド映像が有効であることを示す。逆に、入力映像に自チャネルのＰＩＤが含まれていない場合は、自チャネルのベースバンド映像が無効なものであることを示す。まだら編成が行われる放送では、ＨＤチャネル及びＳＤチャネル間で交互にＰＩＤが出現する。
【００２６】
ＭＰＥＧ２デコーダ111にてデコード情報が重畳された各チャネルのベースバンド映像（122,123,124）は、Ｈ.２６４エンコーダ131において対応するチャネルのエンコーダ（132,133,134）に入力される。
【００２７】
Ｈ.２６４エンコーダ131の各エンコーダ（132,133,134）は、入力されたベースバンド映像のアンシラリ領域からデコード情報を抽出し、そのベースバンド映像が有効なものか否かを判別する（ステップS4）。そして、デコード情報の変化に応じて、次の要領で符号化映像のバッファ量を調整する（ステップS5）。
【００２８】
図４に示すフローチャートを参照して、各エンコーダ（132,133,134）におけるバッファ量の調整手順を説明する。各エンコーダは、今回のデコード情報を前回のものと比較し、ベースバンド映像の有効／無効が切り替わったかどうかを検知する（ステップA1）。その結果、前回のデコード情報が「有効」であったのに対し、今回が「無効」である場合（ステップA2：Yes）、自チャネルのベースバンド映像が有効から無効に切り替わると認識する。有効から無効への切り替わりを認識したエンコーダは、その時点でバッファ量を縮小する（ステップA3）。
【００２９】
また、自チャネルのベースバンド映像が無効から有効に切り替わることを認識したときは（ステップA2：No、ステップA4：Yes）、バッファ量を増加させ、通常のバッファ量に戻すよう制御する（ステップA5）。なお、ベースバンド映像の有効／無効の状態が変化しない間は（ステップA4：No）、バッファ量の変更を行わず、現状を維持する。このようにして、各エンコーダは、符号化映像のバッファ使用量を調整する。
【００３０】
一方、各エンコーダにおいて、デコード情報が抽出されたベースバンド映像は、図２により説明したように、符号化に先立ってベースバンド処理が施される。各エンコーダは、ベースバンド処理した映像信号を、有効または無効を表すＰＩＤと共にＨ.２６４により再圧縮して符号化映像を生成し、それらを順次バッファリングする（図３：ステップS6）。
【００３１】
ＴＳ-ＭＵＸ151は、各チャネルのエンコーダから符号化映像が入力されると、そのＰＩＤを確認し、ＰＩＤが有効を示す符号化映像を多重化の対象とする（ステップS7：Yes、ステップS8）。また、ＰＩＤが無効を示す場合は（ステップS7：No）、その映像を廃棄する（ステップS9）。ＴＳ-ＭＵＸ151は、全チャネル分の符号化映像についてＰＩＤの判定を終えると（ステップS10：Yes）、有効な符号化映像と、遅延処理を経た音声データ等とを多重化し、それを１つのＴＳとして出力する（ステップS11）。
【００３２】
図５を参照して、まだら編成におけるＰＩＤの具体例を挙げる。ここでは、まだら編成により、映像がＨＤ１チャネルからＳＤ２チャネルに切り替わるケースを想定する。
【００３３】
ＨＤエンコーダ132において、ＨＤベースバンド映像122の符号化により得られるＨＤ符号化映像142は、ベースバンド遅延時間後から出力され始める。このとき、ＨＤベースバンド映像122が「有効」であることを示すＰＩＤがＨＤ符号化映像142に設定される。具体的には、図５に示すように、「0ｘ0111」が、ＨＤエンコーダ132での「有効」を示すＰＩＤとして設定される。
【００３４】
その後、まだら編成により、映像がＨＤからＳＤへ切り替わる場合、ベースバンド映像の切り替えタイミング231から、ＨＤベースバンド映像122のデコード情報が「無効」を示すようになる。この時点から、「無効」である旨を示す「0ｘ1FFF」がＰＩＤとして設定される。この「無効」を示すＰＩＤ「0ｘ1FFF」は、全チャネルで共通のものとしている。
【００３５】
また、ＨＤエンコーダ132では、ＰＩＤの設定変更と並行して、バッファ量を縮小する制御が行われる。これにより、まだら編成の切り替わり前に、有効なＨＤ符号化映像142をバッファから出し切ってしまうようにする。
【００３６】
一方、ＳＤ側の各エンコーダ（133,134）では、ＨＤ側が「有効」の間、ＳＤベースバンド映像（123,124）のＰＩＤが「無効」を示す。この間、「無効」を示すＰＩＤとしての前述の「0ｘ1FFF」が符号化映像に設定される。
【００３７】
その後、まだら編成により映像がＨＤからＳＤへ切り替わる場合、ベースバンド映像の切り替えタイミング231から、各エンコーダでのＳＤベースバンド映像（123,124）が「有効」を示すようになる。この時点より、図５に示すように、ＳＤ第１エンコーダ133ではＰＩＤに「0ｘ0211」を設定し、ＳＤ第２エンコーダ134ではＰＩＤに「0ｘ0311」を設定する。
【００３８】
ＴＳ-ＭＵＸ151では、ＨＤチャネルが放送される期間、ＨＤエンコーダ132からＰＩＤ「0ｘ0111」のＨＤ符号化映像142が入力される。また、ＳＤ第１エンコーダ133及びＳＤ第２エンコーダ134からは、無効を示すＰＩＤ「0ｘ1FFF」のＳＤ符号化映像（143,144）がそれぞれ入力される。ＴＳ-ＭＵＸ151は、各映像のＰＩＤを確認し、有効なＨＤ符号化映像142を多重化対象とする一方で、無効なＳＤ符号化映像（143,144）を廃棄する。これにより、再圧縮ＴＳ152の映像としては、ＨＤ符号化映像142のみが出力される。
【００３９】
また、まだら編成により映像がＨＤチャネルからＳＤチャネルに切り替わると、ＨＤエンコーダ132からは無効のＰＩＤ「0ｘ1FFF」を持つＨＤ符号化映像142が入力され、ＳＤ第１エンコーダ133及びＳＤ第２エンコーダ134からは、「0ｘ0211」及び「0ｘ0311」のＰＩＤを持つＳＤ符号化映像（143,144）がそれぞれ入力される。そして、再圧縮ＴＳ152の映像としては、２チャネル分のＳＤ符号化映像（143,144）が出力される。これにより、符号化映像の切り替えタイミング232において、再圧縮ＴＳ152の映像がＨＤ１チャネルからＳＤ２チャネルに切り替わる。
【００４０】
以上説明したように、本実施形態によれば、まだら編成により解像度が切り替わるとき、切り替え前の有効なバッファリング映像を速やかに出力し終えることができる。これにより、切り替え前後の映像の出力期間が重なることが回避されるので、まだら編成の映像が乱れることを防止できる。
【００４１】
上記実施形態は、ＭＰＥＧ２形式からＨ.２６４形式への変換により、より高い比率で再圧縮する形態であったが、本発明を実施するうえでの再圧縮形式は上記実施形態のものに限定されない。例えば、再圧縮の前後で同じＭＰＥＧ２（又はＨ.２６４等）の形式を適用しつつ、ビットレートを変換するという形態であってもよい。また、上記実施形態のようにより高い比率への再圧縮に替えて、圧縮率を低下させる形態であってもよく、さらに、映像のみに限らず音声も再圧縮の対象としてもよい。
【００４２】
なお、上記実施形態では、ＨＤ１チャネルとＳＤ２チャネルとの間のまだら編成を想定したが、本発明は、その他のチャネル数でまだら編成されるデジタル放送にも適用することができる。
【００４３】
また、再圧縮により圧縮率を上げる用途において、再送信システムのエンコーダ（131）として、デジタル放送の送信局のエンコーダよりも、画質面での性能が優れたものを採用することにより、再圧縮でのビットレートの低下に伴う画質の劣化を防ぐことができる。
【図面の簡単な説明】
【００４４】
【図１】本発明の実施形態のシステム構成を示すブロック図である。
【図２】実施形態におけるエンコーダの構成を示すブロック図である。
【図３】実施形態の動作手順を示すフローチャートである。
【図４】実施形態におけるバッファ制御に関するフローチャートである。
【図５】実施形態におけるＰＩＤの設定に関する説明図である。
【符号の説明】
【００４５】
100：システム、101：デジタル放送波、102：デジタル放送受信機、103：放送ＴＳ（伝送ストリーム）、111：ＭＰＥＧ２デコーダ、112：ＨＤデコーダ、113：ＳＤ第１デコーダ、114：ＳＤ第２デコーダ、122〜124：ベースバンド映像、131：Ｈ.２６４エンコーダ、132：ＨＤエンコーダ、133：ＳＤ第１エンコーダ、134：ＳＤ第２エンコーダ、142〜144：符号化映像、151：ＴＳ-ＭＵＸ、152：再圧縮ＴＳ、161：遅延処理
【図１】
0004888835.tif 000002
【図２】
0004888835.tif 000003
【図３】
0004888835.tif 000004
【図４】
0004888835.tif 000005
【図５】
0004888835.tif 000006